(57)【要約】【課題】  開扉時の操作に支障を与えることなく、防盗性を向上することを課題とする。【解決手段】  ２つの電気錠２ａ、２ｂのうち、いずれか一方の電気錠２ａ、２ｂが施錠され、かついずれか他方の電気錠２ａ、２ｂが解錠された状態が第１の規定時間の間保持された場合には、コントローラ１の制御に基づいて解錠状態の電気錠２ａ、２ｂを施錠し、両電気錠２ａ、２ｂが共に解錠された状態が第２の規定時間の間保持され、かつ第２の規定時間内に扉体２４が開扉されない場合には、コントローラ１の制御に基づいて両電気錠２ａ、２ｂを共に施錠するように構成される。【選択図】      図１
2005054504.tif 000002
【特許請求の範囲】
【請求項１】
扉体に設置されて、施錠、解錠を切り換える信号の入力、あるいは手動により施錠、解錠の切り換えが可能な２つの電気錠の切り換えを制御する電気錠制御装置において、
いずれか一方の前記電気錠が施錠され、かついずれか他方の前記電気錠が解錠された状態が第１の規定時間の間保持された場合には、解錠状態の前記電気錠を施錠し、前記両電気錠が共に解錠された状態が第２の規定時間の間保持され、かつ前記第２の規定時間内に前記扉体が開扉されない場合には、前記両電気錠を共に施錠する制御手段
を有することを特徴とする電気錠制御装置。
【請求項２】
前記電気錠が共に施錠状態から、前記電気錠のいずれか一方の電気錠が解錠状態に移行した後に前記第１の規定時間を計測し、前記第１の規定時間の計測中に施錠状態のいずれか他方の前記電気錠が解錠状態に移行した場合に、前記第１の規定時間の計測を中止し、前記第２の規定時間の計測を開始する計測手段
を有することを特徴とする請求項１に記載の電気錠制御装置。
【請求項３】
前記第２の規定時間は、前記電気錠のうち、いずれか一方の電気錠が解錠された状態で、他方の電気錠が施錠状態から解錠状態に移行した後に、前記扉体の開扉操作を行うに十分な時間に設定される
ことを特徴とする請求項１又は２記載の電気錠制御装置。
【発明の詳細な説明】
【技術分野】
【０００１】
本発明は、扉体に設置された２つの電気錠の施錠、解錠を切り換える電気錠制御装置に関する。
【背景技術】
【０００２】
一般に、戸建やマンション、アパート等の家屋では、玄関扉に錠が取り付けられている。一般的な錠は、扉の横方向にスライドするデッドボルトを有し、このデッドボルトを家屋の壁面側に形成されたデッドボルト係合穴に係合させることにより扉の開閉が阻止されるようになっている。
【０００３】
また、昨今においては、金属の棒を鍵穴に挿入して錠装置を不正に解錠する、所謂ピッキングによる不正な開扉を阻止するため、一つの扉に少なくとも２個の錠を設置し、各錠をそれぞれ別個に施錠、解錠するように構成されたものが多く用いられている。          他方、より一層操作性を向上し、かつ防盗性を高めるために、電気錠が提案され、実用に供されてる。電気錠は、テンキーによる暗証番号や、指紋データ、赤外線信号、電波信号等の、認証データを入力し、この認証データが正しい場合には、電気的に錠を解錠するように動作するものである。従って、入室者は、テンキーの入力、指紋の入力、等の極めて簡単な操作で錠を解錠することができるので、操作性がよく、かつ防盗性に優れている。
【０００４】
従来における電気錠の施解錠の切り換えを制御する装置としては、例えば以下に示す文献に記載されものが知られている（特許文献１、特許文献２参照）。特許文献１に記載された装置では、２つの錠部の内いずれか一方の錠部の解錠検知出力から所定時間内に他方の錠部の解錠検知出力が入らないときには、解錠された一方の錠部を電気的に施錠するようにしている。これにより、一方の錠部が解錠され、他方の錠部が施錠された片掛かり状態になることを回避し、防盗性を損ねないようにしている。
【特許文献１】特開２００３−１４８０１４号公報
【特許文献２】特開２００２−１８０７１２号公報
【発明の開示】
【発明が解決しようとする課題】
【０００５】
以上説明したように、電気錠の施解錠の切り換えを制御する従来の装置において、例えば２つの電気錠が扉に設置されている場合に、片掛かり状態になることを回避するために、一方の電気錠が解錠されて所定時間が経過した後他方の電気錠が解錠されない場合には、解錠された電気錠を施錠するようにしている。
【０００６】
しかし、一方の電気錠が解錠されて所定時間が経過した後他方の電気錠が解錠されて両電気錠が共に解錠されたにもかかわらず、開扉されなかった場合には、両電気錠は解錠された状態が継続され、両電気錠が共に施錠されることはなかった。このため、両電気錠が解錠された状態で扉が放置されるため、安全性が低下し、防犯上好ましくない事態を招くおそれがあった。
【０００７】
そこで、本発明は、上記に鑑みてなされたものであり、その目的とするところは、開扉時の動作に支障を与えることなく、防盗性を向上した電気錠制御装置を提供することにある。
【課題を解決するための手段】
【０００８】
上記目的を達成するために、本発明の課題を解決する第１の手段は、扉体に設置されて、施錠、解錠を切り換える信号の入力、あるいは手動により施錠、解錠の切り換えが可能な２つの電気錠の切り換えを制御する電気錠制御装置において、いずれか一方の前記電気錠が施錠され、かついずれか他方の前記電気錠が解錠された状態が第１の規定時間の間保持された場合には、解錠状態の前記電気錠を施錠し、前記両電気錠が共に解錠された状態が第２の規定時間の間保持され、かつ前記第２の規定時間内に前記扉体が開扉されない場合には、前記両電気錠を共に施錠する制御手段を有することを特徴とする。
【０００９】
第２の手段は、前記第１の手段において、前記電気錠が共に施錠状態から、前記電気錠のいずれか一方の電気錠が解錠状態に移行した後に前記第１の規定時間を計測し、前記第１の規定時間の計測中に施錠状態のいずれか他方の前記電気錠が解錠状態に移行した場合に、前記第１の規定時間の計測を中止し、前記第２の規定時間の計測を開始する計測手段を有することを特徴とする。
【００１０】
第３の手段は、前記第１の手段又は第２の手段において、前記第２の規定時間は、前記電気錠のうち、いずれか一方の電気錠が解錠された状態で、他方の電気錠が施錠状態から解錠状態に移行した後に、前記扉体の開扉操作を行うに十分な時間に設定されることを特徴とする。
【発明の効果】
【００１１】
本発明によれば、両電気錠が共に解錠された状態が第２の規定時間の間保持され、かつ第２の規定時間内に扉体が開扉されない場合には、両電気錠を共に施錠するようにしたので、両電気錠が解錠状態で扉体が放置されることが回避され、防盗性を向上させることができる。
【発明を実施するための最良の形態】
【００１２】
以下、図面を用いて本発明を実施するための最良の実施例を説明する。
【実施例１】
【００１３】
図１は本発明の実施例１に係る電気錠制御装置ならびにこの電気錠制御装置で施解錠が制御される電気錠の構成を示す図である。図１に示す実施例１の電気錠制御装置の制御手段として機能するコントローラ１は、制御回路１０、入力回路１１、１２、１３、モータ駆動回路１４、１５を備えて構成され、２つ電気錠２ａ、２ｂの施解錠を制御する。例えば主錠となる電気錠２ａは、解錠検出部２０ａ、モータ２１ａ、デッドボルト駆動機構部２２ａならびにデッドボルト２３ａを備えて構成されている。また、主錠の電気錠２ａに対して補助錠となる電気錠２ｂは、電気錠２ａと同様に、解錠検出部２０ｂ、モータ２１ｂ、デッドボルト駆動機構部２２ｂならびにデッドボルト２３ｂを備えて構成されている。
【００１４】
制御回路１０は、電気錠制御装置の制御中枢として機能し、プログラムに基づいて動作処理を行う例えばマクロコンピュータにより構成され、電気錠２ａ、２ｂの施解錠動作を、予め用意されて記憶装置等格納されたソフトウェアにしたがって実現する。
【００１５】
制御回路１０は、タイマー機能（図示せず）を備えている。このタイマー機能は、２つの電気錠２ａ、２ｂが共に施錠状態において、いずれか一方の電気錠２ａ、２ｂが解錠された場合をトリガとして規定時間Ｔ１をカウントし、施錠状態の他方の電気錠２ａ、２ｂが解錠状態になると、カウント動作を中止してそれまでのカウント値をクリアする。また、このタイマー機能は、規定時間Ｔ１のカウントが中止されてクリアされると、規定時間Ｔ２のカウントを開始し、規定時間Ｔ２のカウント中に開扉された場合には、カウント動作を中止してそれまでのカウント値をクリアする。
【００１６】
制御回路１０は、入力回路１１、１２を介して解錠検出部２０ａ、２０ｂから与えられる検出信号に基づいて、電気錠２ａ、２ｂの解錠、施錠を検出する。また、制御回路１０は、入力回路１３を介してドア開閉検出部３から与えられる検出信号に基づいて、扉２４の開閉を検出する。
【００１７】
入力回路１１は、電気錠２ａが解錠又は施錠された際に電気錠２ａの解錠検出部２０ａから与えられる検出信号をコントローラ１の制御回路１０に入力する回路である。入力回路１２は、電気錠２ｂが解錠又は施錠された際に電気錠２ｂの解錠検出部２０ｂから与えられる検出信号をコントローラ１の制御回路１０に入力する回路である。
【００１８】
入力回路１３は、電気錠２ａ、２ｂが設置された扉が開閉された際に、ドア開閉検出部３から与えられる検出信号をコントローラ１の制御回路１０に入力する回路である。
【００１９】
モータ駆動回路１４は、制御回路１０から与えられ駆動制御信号に基づいて電気錠２ａのモータ２１ａを駆動制御する回路である。モータ駆動回路１５は、制御回路１０から与えられ駆動制御信号に基づいて電気錠２ｂのモータ２１ｂを駆動制御する回路である。
【００２０】
電気錠２ａ、２ｂならびにコントローラ１は、扉２４を内側から見た例えば図２の斜視図に示すように、横方向に進退動作して家屋の壁面側に形成される係合穴（図示せず）に係合可能なデッドボルト２３ａ、２３ｂと、デッドボルト２３ａ、２３ｂを電動で進退動作させるモータ２１ａ、２１ｂ（図示せず）と、扉２４の内側から手動操作でデッドボルト２３ａ、２３ｂを進退動作させるサムターン２５ａ、２５ｂとが、扉２４に設置されている。
【００２１】
図１に戻って、電気錠２ａにおいて、解錠検出部２０ａは、電気錠２ａが施錠状態から解錠状態、ならびに電気錠２ａが解錠状態から施錠状態になったことを検出し、検出信号をコントローラ１の入力回路１１に与える。モータ２１ａは、コントローラ１のモータ駆動回路１４から与えられる駆動信号に基づいて、デッドボルト駆動機構部２２ａを駆動するモータである。デッドボルト駆動機構部２２ａは、デッドボルト２３ａを駆動制御してデッドボルト２３ａの進退動作を行う。デッドボルト２３ａは、デッドボルト駆動機構部２２ａにより駆動制御されて、横方向に進退動作し家屋の壁面側に形成される係合穴（図２に図示）に係合可能で、電気錠２ａの施錠、解錠を切り換える。
【００２２】
電気錠２ｂにおいて、解錠検出部２０ｂは、電気錠２ｂが施錠状態から解錠状態、ならびに電気錠２ｂが解錠状態から施錠状態になったことを検出し、検出信号をコントローラ１の入力回路１２に与える。モータ２１ｂは、コントローラ１のモータ駆動回路１５から与えられる駆動信号に基づいて、デッドボルト駆動機構部２２ｂを駆動するモータである。デッドボルト駆動機構部２２ｂは、デッドボルト２３ｂを駆動制御してデッドボルト２３ｂの進退動作を行う。デッドボルト２３ｂは、デッドボルト駆動機構部２２ｂにより駆動制御されて、横方向に進退動作し家屋の壁面側に形成される係合穴（図２に図示）に係合可能で、電気錠２ｂの施錠、解錠を切り換える。
【００２３】
ドア開閉検出部３は、電気錠２ａ、２ｂが設置された扉２４の開閉を検出し、開閉信号をコントローラ１の入力回路１３に与える。
【００２４】
次に、図３に示すフローチャートを参照して、この実施例１の動作を説明する。
【００２５】
図３において、まず制御回路１０のタイマー機能における規定時間Ｔ１、Ｔ２のカウントをクリアする（ステップＳ３００）。次に、電気錠２ａ、２ｂが共に施錠状態において、解錠検出部２０ａ、２０ｂの解錠検出信号に基づいて電気錠２ａ、２ｂのいずれか一方の電気錠２ａ、２ｂが解錠されたか否かを判別する（ステップＳ３０１）。判別結果において、電気錠２ａ、２ｂのいずれも解錠されず施錠状態にあっては、ステップＳ３００の処理に戻る。一方、判別結果において、電気錠２ａ、２ｂのいずれか一方が解錠された場合には、続いて電気錠２ａ、２ｂの双方が解錠されたか否かを判別する（ステップＳ３０２）。
【００２６】
判別結果において、電気錠２ａ、２ｂの双方が解錠されず、一方の電気錠２ａ、２ｂが解錠された場合には、続いて解錠状態の電気錠２ａもしくは電気錠２ｂが施錠されて、電気錠２ａ、２ｂの双方が施錠されたか否かを判別する（ステップＳ３０３）。判別結果において、電気錠２ａ、２ｂの双方が共に施錠された場合には、ステップＳ３００の処理に戻る。
【００２７】
一方、電気錠２ａ、２ｂの双方が共に施錠されておらず、電気錠２ａ、２ｂのいずれか一方の電気錠２ａ、２ｂが解錠されている場合には、規定時間Ｔ２のカウントをクリアする（ステップＳ３０４）。続いて、規定時間Ｔ１のカウントアップを開始し、規定時間Ｔ１を計測する（ステップＳ３０５）。規定時間Ｔ１のカウントアップが開始された後、規定時間Ｔ１が経過したか否かを判別する（ステップＳ３０６）。判別結果において、規定時間Ｔ１が経過していない場合には、ステップＳ３０２の処理に戻る。
【００２８】
一方、電気錠２ａ、２ｂのいずれか一方の電気錠２ａ、２ｂが解錠され、電気錠２ａ、２ｂのいずれか他方の電気錠２ａ、２ｂが施錠状態において、規定時間Ｔ１が経過した場合には、解錠状態のいずれか一方の電気錠２ａ、２ｂを施錠する（ステップＳ３０７）。これにより、電気錠２ａ、２ｂのうちいずれか一方の電気錠２ａ、２ｂが施錠状態から解錠状態に移行した後、規定時間Ｔ１が経過しても施錠状態の他方の電気錠２ａ、２ｂが解錠されない場合には、解錠状態の電気錠２ａ、２ｂを施錠することで、前述した片掛かり状態を回避するようにしている。
【００２９】
次に、ステップＳ３０２の処理の判断結果において、電気錠２ａ、２ｂの双方が共に解錠状態になった場合には、電気錠２ａ、２ｂのいずれか一方の電気錠２ａ、２ｂが解錠された後他方の電気錠２ａ、２ｂが解錠されるまでの間にカウントアップが行われていた規定時間Ｔ１のカウントをクリアする（ステップＳ３０８）。続いて、規定時間Ｔ２のカウントアップを開始し、規定時間Ｔ２を計測する（ステップＳ３０９）。
【００３０】
次に、ドア開閉検出部３により扉２４が開扉されたか否かを判別する（ステップＳ３１０）。判別結果において、扉２４が開扉された場合には、規定時間Ｔ１、Ｔ２のカウントをクリアして（ステップＳ３１３）、一連の処理を終了する。一方、扉２４が開扉されていない場合には、規定時間Ｔ２が経過したか否かを判別する（ステップＳ３１１）。判別結果において、規定時間Ｔ２が経過していない場合には、ステップＳ３０２の処理に戻る。一方、電気錠２ａ、２ｂの双方が共に解錠状態にあり、かつ開扉されずに規定時間Ｔ２が経過した場合には、両電気錠２ａ、２ｂを施錠し（ステップＳ３１２）、ステップＳ３００の処理に戻る。
【００３１】
これにより、電気錠２ａ、２ｂの双方が共に解錠されて、規定時間Ｔ１のカウントが中止されてクリアされた後規定時間Ｔ２のカウントが開始され、この規定時間Ｔ２内に開扉されない場合には、両電気錠２ａ、２ｂは共に施錠され、扉が開扉されずに両電気錠２ａ、２ｂが共に解錠状態で放置されることは防止される。この結果、防盗性を向上させることができる。
【００３２】
なお、規定時間Ｔ１、Ｔ２は、いずれも任意に設定することができ、両者は同一又は異なった値に設定してもよい。施錠状態の双方の電気錠２ａ、２ｂを順次解錠して扉２４を開扉する一連の動作において、通常は一方の電気錠２ａ、２ｂが解錠された後続いて他方の電気錠２ａ、２ｂの解錠動作が行われるので、規定時間Ｔ１はこの解錠動作を行うのに支障をきたさない程度の時間に設定される。また、両方の電気錠２ａ、２ｂが解錠された後通常は開扉されるので、規定時間Ｔ２はこの開扉操作に支障をきたさない程度の時間に設定される。したがって、例えば規定時間Ｔ１は５秒程度、規定時間Ｔ２は１０秒程度に設定される。
【００３３】
このように、一方の電気錠２ａ、２ｂが解錠された状態で他方の電気錠２ａ、２ｂが解錠された場合に、それまでカウントしていた規定時間Ｔ１をクリアして新たに規定時間Ｔ２をカウントすることで、規定時間Ｔ２内に開扉されない場合には両電気錠２ａ、２ｂが共に自動的に施錠されるという、本発明の特徴に加えて、さらに通常の開扉動作において、両電気錠２ａ、２ｂの解錠後の開扉操作に支障がなく、入退室の一連の動作をスムーズに行うことができる。
【図面の簡単な説明】
【００３４】
【図１】本発明の実施例１に係る電気錠制御装置の構成を示す図である。
【図２】２つの電気錠の扉体への一設置例を示す斜視図である。
【図３】本発明の実施例１に係る電気錠制御装置の処理動作を示すフローチャートである。
【符号の説明】
【００３５】
１…コントローラ
２ａ，２ｂ…電気錠
３…ドア開閉検出部
１０…制御回路
１１，１２，１３…入力回路
１４，１５…モータ駆動回路
２０ａ，２０ｂ…解錠検出部
２１ａ，２１ｂ…モータ
２２ａ，２２ｂ…デッドボルト駆動機構部
２３ａ，２３ｂ…デッドボルト
２４…扉
２５ａ、２５ｂ…サムターン
【図１】
2005054504.tif 000003
【図２】
2005054504.tif 000004
【図３】
2005054504.tif 000005